(57)【要約】      （修正有） 【課題】パケット交換方式によって音声メッセージを送受信する移動通信端末機を提供する。【解決手段】パケット交換方式によって音声メッセージを送受信する移動通信端末機と、その方法に関するもので、移動通信端末機は、着信端末機との音声通話連結が成されなかった時、発信者が着信端末機に音声メッセージを残したい場合、自動的に音声チャンネルを終了し、発信者の音声メッセージ伝送のために、自動的に移動通信網とデータチャンネルを連結する。移動通信事業者は、音声チャンネルに比べ相対的に利用頻度の低いデータチャンネルを介して音声メッセージを伝送することによって、通信回線使用の高い効率性を得ることができるのである。【選択図】図３
2005176315.tif 000002
【特許請求の範囲】
【請求項１】
移動通信網を介して移動通信を遂行する通信部と、
外部から入力される信号に従い通話連結及び終了を制御する通話制御部と、
外部から入力される音声データをパケット処理し、前記通話制御部の制御信号に従い前記パケット処理されたパケットを前記通信部に出力するパケット処理部とを含むことを特徴とする移動通信端末機。
【請求項２】
前記通話制御部は、
前記通信部から通話不能信号が入力されたら、音声チャンネル連結を終了させる音声チャンネル自動解除部と、
前記通信部から通話不能信号が入力されたら、データチャンネル通信を要請するデータチャンネル連結要請信号を前記通信部に出力するデータチャンネル自動連結部とを含むことを特徴とする特許請求の範囲第１項に記載の移動通信端末機。
【請求項３】
前記移動通信端末機が、
前記パケット処理部でパケット処理されたパケットを貯蔵するメモリー部を更に含むことを特徴とする特許請求の範囲第２項に記載の移動通信端末機。
【請求項４】
前記移動通信端末機が、
前記メモリー部の貯蔵容量を確認して、前記パケット処理されたパケットの貯蔵可能可否を判断し、その結果を前記通話制御部に出力するメモリー制御部を更に含むことを特徴とする特許請求の範囲第３項に記載の移動通信端末機。
【請求項５】
前記データチャンネル自動連結部は、
前記メモリー制御部からパケット貯蔵可能信号が入力されたら、前記パケット処理されたパケットを前記メモリー部に貯蔵し、前記音声チャンネル自動解除部から入力される音声チャンネル終了信号に従いデータチャンネル連結要請信号を前記通信部に出力することを特徴とする特許請求の範囲第４項に記載の移動通信端末機。
【請求項６】
前記データチャンネル自動連結部は、
前記メモリー制御部からパケット貯蔵不可能信号が入力されたら、前記音声チャンネル自動解除部から入力される音声チャンネル終了信号に従いデータチャンネル連結要請信号を前記通信部に出力することを特徴とする特許請求の範囲第４項に記載の移動通信端末機。
【請求項７】
請求項１乃至請求項６のパケット交換方式によって音声メッセージを送受信する移動通信端末機と、
前記移動通信端末機から送受信される音声メッセージのパケットデータの交換を遂行する交換機と、
前記交換機から前記パケットデータを受信し、各パケット別に音声データベースに貯蔵するパケット制御部を含む音声私書箱部とを含むことを特徴とする音声メッセージ伝送システム。
【請求項８】
請求項１乃至請求項６のパケット交換方式によって音声メッセージを送受信する移動通信端末機と、
前記移動通信端末機から送受信される音声メッセージのパケットデータの交換を遂行する交換機と、
前記交換機から前記パケットデータを受信して、各パケット別に音声データベースに貯蔵し、前記移動通信端末機のパケット要請信号に従い該当パケットを前記交換機に出力するコンテンツサーバーとを含むことを特徴とする音声メッセージ伝送システム。
【請求項９】
請求項７による音声メッセージ伝送システムで、移動通信端末機の音声メッセージ伝送方法において、前記音声メッセージ伝送方法は、
外部から通話連結要請信号の入力を受ける段階と、
移動通信網を介して音声チャンネル連結要請信号を出力する段階と、
移動通信網を介して通話不能信号受信時、音声チャンネル連結を終了させる段階と、
移動通信網を介してデータチャンネル連結要請信号を出力し、連結応答に従いデータチャンネルを連結する段階と、
外部から音声データの入力を受け、これをパケット処理する段階と、
前記パケット処理されたパケットを、移動通信網を介して伝送する段階と、を含むことを特徴とする音声メッセージ伝送方法。
【請求項１０】
前記音声メッセージ伝送方法が、
前記移動通信端末機メモリー部の貯蔵容量を確認し、前記パケット処理されたパケットの貯蔵可能可否を判断する段階と、
前記パケットの貯蔵が可能な場合、前記パケット処理されたパケットを貯蔵する段階とを更に含むことを特徴とする特許請求の範囲第９項に記載の音声メッセージ伝送方法。
【請求項１１】
前記音声メッセージ伝送方法が、
移動通信網を介して前記パケットの伝送が完了されたら、前記移動通信端末機メモリー部に貯蔵された前記パケットを削除する段階を更に含むことを特徴とする特許請求の範囲第１０項に記載の音声メッセージ伝送方法。
【請求項１２】
前記メッセージ伝送方法が、
前記外部から入力された音声データの確認信号の入力を受け、該当音声データを可聴信号に変換して再生出力する段階を更に含むことを特徴とする特許請求の範囲第１０項または第１１項に記載の音声メッセージ伝送方法。
【請求項１３】
前記メッセージ伝送方法が、
前記外部から入力された音声データの再録音信号の入力を受け、該当音声データを削除する段階を更に含むことを特徴とする特許請求の範囲第１０項または第１１項に記載の音声メッセージ伝送方法。
【請求項１４】
請求項８による音声メッセージ伝送システムで、移動通信端末機の音声メッセージ伝送方法において、前記音声メッセージ伝送方法は、
外部から通話連結要請信号の入力を受ける段階と、
移動通信網を介して音声チャンネル連結要請信号を出力する段階と、
移動通信網を介して通話不能信号受信時、音声チャンネル連結を終了させる段階と、
移動通信網を介してデータチャンネル連結要請信号を出力し、連結応答に従いデータチャンネルを連結する段階と、
外部から音声データの入力を受け、これをパケット処理する段階と、
前記パケット処理されたパケットを、移動通信網を介して伝送する段階とを含むことを特徴とする音声メッセージ伝送方法。
【請求項１５】
前記音声メッセージ伝送方法が、
前記移動通信端末機メモリー部の貯蔵容量を確認し、前記パケット処理されたパケットの貯蔵可能可否を判断する段階と、
前記パケットの貯蔵が可能な場合、前記パケット処理されたパケットを貯蔵する段階とを含むことを特徴とする特許請求の範囲第１４項に記載の音声メッセージ伝送方法。
【請求項１６】
前記音声メッセージ伝送方法が、
移動通信網を介して前記パケットの伝送が完了されたら、前記移動通信端末機メモリー部に貯蔵された前記パケットを削除する段階を更に含むことを特徴とする特許請求の範囲第１５項に記載の音声メッセージ伝送方法。
【請求項１７】
前記メッセージ伝送方法が、
前記外部から入力された音声データの確認信号の入力を受け、該当音声データを可聴信号に変換して再生出力する段階を更に含むことを特徴とする特許請求の範囲第１５項または第１６項に記載の音声メッセージ伝送方法。
【請求項１８】
前記メッセージ伝送方法が、
前記外部から入力された音声データの再録音信号の入力を受け、該当音声データを削除する段階を更に含むことを特徴とする特許請求の範囲第１５項または第１６項に記載の音声メッセージ伝送方法。
【請求項１９】
請求項７による音声メッセージ伝送システムで、移動通信端末機の音声メッセージ伝送方法において、前記音声メッセージ伝送方法は、
外部から通話連結要請信号の入力を受ける段階と、
移動通信網を介して音声チャンネル連結要請信号を出力する段階と、
移動通信網を介して通話不能信号受信時、音声チャンネル連結を終了させる段階と、
移動通信網を介してデータチャンネル連結要請信号を出力し、連結応答に従いデータチャンネルを連結する段階と、
外部から音声データの入力を受け、これを移動通信端末機のメモリー部に貯蔵する段階と、
前記メモリー部に貯蔵された音声データをパケット処理する段階と、
前記パケット処理されたパケットを、移動通信網を介して伝送する段階とを含むことを特徴とする音声メッセージ伝送方法。
【請求項２０】
前記音声メッセージ伝送方法が、
移動通信網を介して前記パケットの伝送が完了されたら、前記移動通信端末機メモリー部に貯蔵された前記音声データを削除する段階を更に含むことを特徴とする特許請求の範囲第１９項に記載の音声メッセージ伝送方法。
【発明の詳細な説明】
【技術分野】
【０００１】
本発明は、移動通信端末機に関するもので、より詳細には、パケット交換方式によって音声メッセージを送受信する移動通信端末機と、その方法に関するものである。
【背景技術】
【０００２】
現在の代表的なセルラー移動通信システムは、ヨーロッパの標準方式であるＧＳＭ、日本の標準方式であるＰＤＣ、アメリカの標準方式であるＣＤＭＡに基づいたＩＳ−９５（あるいは、cdmaOne）である。前記セルラー移動通信システムは、今までアナログ信号で送信されていた音声をデジタル化することによって、周波数効率性を向上させ、デジタルデータ伝送も支援する特徴を有している。このようなセルラー移動通信は、元来音声サービスを主体に開発されたので、導入初期は、回線交換方式だけ提供されていた。前記回線交換方式は、移動通信端末機間に定められた通信回線を設定して情報を交換するもので、いったん通信回線（または音声チャンネル）が設定されたら、その通信回線は、一つのトランザクションの情報伝達だけのために独占される。
【０００３】
前記のようなセルラー移動通信システムの下で、既存の移動通信事業者は、移動通信端末機受信者が通話中であったり、電源がオフしてあったり、呼出に応答できない場合に備えて、電話をかけた発信者の音声メッセージを貯蔵する音声私書箱サービスを提供している。しかし、前述したように、従来のセルラー移動通信システムでは回線交換方式だけを支援するので、発信移動通信端末機は音声私書箱サービス利用時にも該当する通信回線を独占する。
【０００４】
このような回線交換方式による音声メッセージ伝送サービスは、移動通信サービス利用者が増加し、利用者の通信サービス利用頻度が高くなりながら、移動通信事業者と移動通信サービス利用者各々に多大なる不便を与えている。つまり、発信者が前記音声私書箱サービスを利用しても、受信者がこれを確認しなかったら、発信者は音声私書箱サービス利用料金も負担し、サービス利用時間だけバッテリー電力も消費しながらも、如何なる利得も得ることができないという問題点があった。一方、移動通信事業者は、たくさんの移動通信サービス利用者により、円滑な通信サービスを提供するために、絶えず通信回路を増やさなければならず、このためには装備と人力を使用しなければならないという問題点が生じていた。
【０００５】
一方、移動通信技術の発達により、国内移動通信端末機製造業者たち（ペンテク＆キュリテル、三星、ＬＧ、ＫＴＦ）は、単純に音声や文字を送受信するものから、それ自体でインターネットに接続しウェブサービスを受けることができ、更にはカラー写真、アニメーション、動映像、音楽、テキスト、所謂マルチメディアメッセージを貯蔵し、これを友達や家族に伝送できる端末機を出始している。また、現在移動通信事業者は、端末機とウェブサーバー間のインターネット連結、また端末機間のマルチメディアメッセージ送受信のための通信プロトコルを支援する通信モジュールとパケット交換方式を支援するネットワークを構築して、マルチメディアメッセージサービスを提供している。前記パケット交換方式は、通信中に回線（またはデータチャンネル）を同時に複数名の使用者が共用でき、パケット情報量を基準にサービス利用料金が付加される。
【０００６】
しかし、移動通信端末機は、現在のみならず、これからもマルチメディアメッセージを利用する場合より、音声通話を利用する場合が遙かに多い。そこで、本願出願発明者は、相対的に使用量の少ないデータチャンネルを使用して音声メッセージを伝送するようにした移動通信端末機を提案して、通信回線の効率性を高めようとした。
【発明の開示】
【発明が解決しようとする課題】
【０００７】
本発明は、前記のような問題点を解決するためのもので、既存の回線交換方式でないパケット交換方式によって音声メッセージを送受信することができる移動通信端末機を提供することをその目的とする。
【０００８】
付加的に、本発明は、メモリーの貯蔵容量が十分な場合、音声メッセージをメモリーに貯蔵した後、データチャンネルを連結して、使用者の操作信号に従い音声メッセージを伝送／確認／再録音が可能な移動通信端末機を提供することをその目的とする。
【０００９】
追加的に、本発明は、メモリーの貯蔵容量が不十分な場合、データチャンネルを連結した後入力される音声メッセージをパケット処理して出力する移動通信端末機を提供することをその目的とする。
【００１０】
更に、本発明は、移動通信端末機でパケット交換方式によって音声メッセージを伝送する音声メッセージ送受信方法を提供することをその目的とする。
【００１１】
更に、本発明は、パケット交換方式によって音声メッセージを送受信する音声メッセージサービスシステムを提供することをその目的とする。
【課題を解決するための手段】
【００１２】
前記目的を達成するための本発明の一様状による移動通信端末機は、着信端末機との音声通話連結が成されなかった時、発信者が着信端末機に音声メッセージを残したい場合、自動的に音声チャンネルを終了し、発信者の音声メッセージ伝送のために、自動的に移動通信網とデータチャンネルを連結する。
【００１３】
このような本発明の特徴的な様状によって、移動通信事業者は、音声チャンネルに比べ相対的に利用頻度の低いデータチャンネルを介して音声メッセージを伝送することによって、通信回線使用の高い効率性を得ることができるのである。
【発明の効果】
【００１４】
上述したように、本発明による移動通信端末機は、音声チャンネルより相対的に使用量の少ないデータチャンネルを介して音声メッセージを送受信することによって、移動通信事業者は、通信回線の利用効率を高め、移動通信サービス利用者に円滑な通信サービスを提供することができるという有用な効果がある。
【００１５】
また、本発明による移動通信端末機は、データ伝送量に関係なく、利用時間の間の料金が付加される回線交換方式の代わりに、実際の伝送データ量に対して料金が付加されるパケット交換方式により音声メッセージを交換することによって、使用者において利用料金を合理的に付加することができるという有用な効果がある。
【００１６】
また、本発明による移動通信端末機は、メモリーの残った貯蔵用量に従いデータチャンネルを連結して音声メッセージを伝送することによって、端末機の貯蔵容量に関係なく音声メッセージ伝送サービスを提供することができるという有用な効果がある。
【００１７】
本発明は、添付された図面を参照して好ましい実施例を中心に記述されたが、当業者なら、このような記載から本発明の範疇を脱することなく多様かつ自明な変形が可能であると言うことは明らかである。従って、このようなたくさんの変形例を含むように、記述された特許請求の範囲によって解釈されるべきである。
【発明を実施するための最良の形態】
【００１８】
以下、添付の図面を参照に、好ましい実施例を介して、本発明を当業者が容易に理解し、再現できるように詳細に説明することにする。
【００１９】
図１は、本発明の一実施例による音声メッセージ送受信サービスシステムを概略的に図示したものである。図示されているように、本実施例による音声メッセージ送受信サービスシステムは、移動通信端末機１０，１１と、基地局２１と、交換機２３と、音声私書箱部２５とを含む。
【００２０】
移動通信端末機１０，１１は、電源が連結されている間は基地局２１と通信をして、交換機２３に自分の位置情報を知らせる。更に、本発明の特徴的な様状によって、移動通信端末機１０，１１は、発信者の音声メッセージをパケット処理し、データチャンネルを介して伝送できるように具現するのが好ましい。以下、本実施例を説明するにおいて、移動通信端末機１０，１１は、その機能上、移動通信網に電話連結のための発呼信号を送信する発信移動通信端末機１０と、移動通信網から呼出信号を受信する着信移動通信端末機１１とに区分して使用する。また、本発明の特徴的な様状によって、移動通信端末機１０，１１は、音声私書箱サービスに強制的に、あるいは選択的に加入されているのが好ましい。
【００２１】
基地局２１は、発信移動通信端末機１０から発呼信号を受信し、使用可能な通信チャンネルを割り当て、前記発信移動通信端末機１０と交換機２３とを連結する。ここで、通信チャンネルは、通話方式によって音声チャンネルと、データチャンネルとに区分して使用される。
【００２２】
交換機２３は、基地局２１から発信移動通信端末機１０の発呼信号の入力を受け、着信移動通信端末機１１に呼出信号を送る。以後、交換機２３は、着信移動通信端末機１１から呼出応答信号が入力されたら、着信移動通信端末機１１に通話情報を送信する。ここで、前記通話情報は、発信移動通信端末機識別情報と、着信移動通信端末機識別情報と、チャンネル情報と、呼出信号タイプ情報と、メッセージ情報とを含む。この時、前記通話情報を受信した着信移動通信端末機１１は、自分を呼び出す情報であると判断し、ベルの音を鳴らすことになる。一実施例において、呼出信号タイプ情報が音声通話に関する情報であれば、着信移動通信端末機１１は、受信者がフォルダーをオープンしたり、キーを押したりする、所定時間が経過するまでベルを鳴らすことになる。受信者が応答したら、着信移動通信端末機１１は、交換機２３にチャンネル連結要請信号を送信する。以後、交換機２３は、チャンネル連結応答信号を伝送し、両端末機１０，１１間の音声チャンネルを連結して音声通話を支援する。一実施例において、呼出信号タイプ情報がメッセージ伝達（例えば、文字メッセージ、音声メッセージ、マルチメディアメッセージ）に関する情報であれば、着信移動通信端末機１１は、短くベルの音を鳴らした後止め、到達したメッセージの種類に関する簡単なアイコンまたは単文メッセージを表示する。
【００２３】
更に、交換機２３は、着信移動通信端末機１１が呼出に応答しなければ、音声私書箱部２５を検索して、前記着信移動通信端末機１１が音声私書箱サービスに加入されているかを確認し、加入時、音声私書箱利用案内情報を発信移動通信端末機１０に伝送する。本発明の特徴的な様状によって、交換機２３は、発信移動通信端末機１０からパケット処理された音声メッセージが入力されたら、これをデータチャンネルを介して音声私書箱部２５に伝送し、伝送が完了されたら、発信移動通信端末機１０に伝送完了信号を出力する。以後、交換機２３は、音声メッセージが到着した着信移動通信端末機１１に呼出信号を出力し、着信移動通信端末機１１から呼出応答信号が受信されたら、着信移動通信端末機１１に音声メッセージを含む通話情報を送信する。
【００２４】
音声私書箱部２５は、交換機２３と一体に、または別途に設置され得る。前記音声私書箱部２５は、音声私書箱加入者情報２７１と音声メッセージＤＢ２７２とを含むメモリー２７と、パケット制御部２９とを含むことができる。音声私書箱部２５は、発信者の選択により、伝送された音声メッセージを貯蔵したり、前記音声メッセージＤＢ２７２に貯蔵された音声メッセージを再生したり削除することができる。パケット制御部２９は、音声私書箱に加入された着信移動通信端末機１１当てに到着したパケットデータのエラー制御と、圧縮伝送及び日付／時間別に音声メッセージＤＢ２７２に貯蔵するのを担当する。
【００２５】
図２は、本発明のまた別の実施例による音声メッセージ送受信サービスシステムを概略的に図示したものである。ここで、図１と同一な構成であったり、対応される構成は、同一な図面符合を使用する。図２に図示されているように、音声メッセージ送受信サービスシステムは、回線交換方式及びパケット交換方式を支援するもので、その構成は、セルラー移動通信システムごとに少しずつ差があるが、本実施例では、前記システムの理解のために重要な構成だけを概略的に説明することにする。図示されているように、音声メッセージ送受信サービスシステムは、移動通信端末機１０，１１と、基地局２１と、回線交換網３０と、パケット交換網４０とを含む。
【００２６】
移動通信端末機１０，１１は、ワップ（ＷＡＰ）プロトコルにより無線インターネットサービスの提供を受けることができる機能の搭載されたものが好ましい。本実施例で、移動通信端末機１０，１１は、図１でのように音声私書箱に加入していなくても良い。つまり、本実施例で、移動通信端末機１０，１１は、コンテンツサーバー５１を利用してパケット処理された音声メッセージを送受信することができる。現在、移動通信端末機製造業社は、無線インターネットサービスを支援するための多様な端末機を提供している。
【００２７】
回線交換網３０は、移動交換局３１と公衆移動通信網、または公衆電話網に連結された移動交換局用ゲートウェイ３３を含む。前記回線交換網３０の構成と各構成の動作は、既に広く知られているものなので、これに関する詳細な説明は省略することにする。
【００２８】
パケット交換網４０は、パケット処理部４１及びインターネットを介して各種コンテンツを送受信するコンテンツサーバー５１に連結されるパケット用ゲートウェイ４３を含む。パケット処理部４１は、発信移動通信端末機１０から伝送されるパケットデータのエラー制御と圧縮伝送を処理する。パケット用ゲートウェイ４３は、コンテンツサーバー５１で支援するインターネット標準プロトコルと、移動通信網と移動通信端末機１０，１１で支援するワップ（ＷＡＰ）プロトコルを相互交換して、前記移動通信端末機１０，１１でコンテンツサーバー５１のメール、動映像、ミュージックなどを閲覧でき、ダウンロードする機能を可能にしてくれる。
【００２９】
一実施例において、コンテンツサーバー５１は、発信移動通信端末機１０からパケット処理された音声メッセージが伝送完了されたら、着信移動通信端末機１１に音声メッセージが到着したとの単文メッセージを伝送することができる。一実施例において、コンテンツサーバー５１は、着信移動通信端末機１１がコンテンツサーバー５１に接続されている場合は、単文メッセージとともに音声メッセージも伝送できる。
【００３０】
図３は、本発明の一実施例による移動通信端末機の内部構成ブロック図である。
【００３１】
図示されているように、本発明による移動通信端末機は、移動通信網を介してデータ信号を送受信する通信部９００と、操作状態及び各種情報などを表示する表示部７００と、使用者操作命令の入力を受ける操作部５００と、プログラム実行データと音声メッセージを含む各種データの貯蔵されるメモリー部３００と、通話連結及び音声メッセージのパケット処理及び音声メッセージ送受信を処理する制御部１００とを含む。
【００３２】
制御部１００は、例えば単一マイクロプロセッサーで具現する。しかし、本発明は、これに限らず、例えば物理的にオーディオ信号を処理するデジタル信号処理機（digital signal processor）と、システム制御用マイクロプロセッサーの二つのチップで構成されることもでき、これらが物理的に単一パッケージに集積されたチップでもあり得る。
【００３３】
メモリー部３００は、メインプログラムを含むプログラム実行ファイルと、関連データ及び音声メッセージファイルが貯蔵され、好ましくは、例えばフラッシュ貯蔵部のような不揮発性メモリーであっても良い。
【００３４】
操作部５００は、使用者操作命令の入力を受けるもので、０から９までの数字キーと、特殊文字キーと、多様な機能キー、例えば通話ボタン／文字ボタンアップ／ダウンキー、無線インターネット接続キー、ボリュームアップ／ダウンキー、多様な付加機能選択キーなどを含むことができる。表示部７００は、文字やグラフィックなどをディスプレイし、表示情報は、バッテリー残量、プレイモード、メモリー貯蔵残量、日付及び時間、初期画面などを含むことができる。
【００３５】
通信部９００は、ＣＤＭＡまたはＧＳＭ方式の移動通信プロトコルを処理するアールエフ（ＲＦ）回路と変復調部を含む通常的な移動通信回路であり、例えばいくつかのアールエフ回路とクォルカム社によって提供されるＭＳＭ系列のチップ内部の変復調部とで構成されることができる。
【００３６】
図３で、前記ブロックたちは、大概論理的なブロックであり、物理的なブロックと必ず一致するものではない。例えば、コデック部９１０と音声処理部９３０の一部、そして通信部９００の一部と制御部１００を構成するマイクロプロセッサーは、単一チップにパッケージングされ商業的に入手可能である。
【００３７】
制御部１００は、操作部５００から電話連結要請信号が入力されたら、通信部９００を介して移動通信網に発呼信号を出力する通話制御部１２０と、メモリー部３００の貯蔵支援を管理するメモリー制御部１４０と、通信部９００を介して各種パケットを受信し、該当パケット別にデータを処理した後、メモリー部３００に貯蔵するパケット処理部１６０とを含む。
【００３８】
本発明の特徴的な様状によって、移動通信端末機は、通話制御部１２０内に、交換機から着信移動通信端末機との通話連結不能信号を受信時、音声チャンネル連結を自動的に終了する音声チャンネル自動解除部１２１が含まれる。一実施例において、交換機から伝送される通話連結不能信号は、受信者が通話中である時、通話中であることを知らせる通常的なビジートーン信号でもあり得る。あるいは、電源がオフされている場合、‘すみません。ただ今顧客は電話にでることができません’という音声メッセージでもあり得る。また別の実施例において、通話連結不能信号は、‘音声私書箱に音声を残したい時は、ピーという音の後音声を録音し、録音が終わったら雪印（＊）かシャープ印（＃）を押してください。’という音声私書箱利用案内メッセージでもあり得る。
【００３９】
追加的に、本発明による移動通信端末機は、通話制御部１２０内に、音声メッセージ伝送のために移動通信網にデータチャンネル連結要請信号を出力するデータチャンネル自動連結部１２３が含まれる。一実施例において、データチャンネル自動連結部１２３は、メモリー制御部１４０からメモリーの貯蔵容量情報の入力を受け、貯蔵容量が十分であると判断されたら、発信者の音声メッセージの入力を受けて貯蔵した後、操作部５００からメッセージ伝送要請信号が入力されたら、移動通信網にデータチャンネル連結要請信号を出力することができる。また別の実施例において、データチャンネル自動連結部１２３は、メモリー制御部１４０からメモリー貯蔵容量情報の入力を受け、貯蔵容量が不十分であると判断されたら、音声チャンネル自動解除部１２１から音声チャンネル終了信号入力時、移動通信網にデータチャンネル連結要請信号を出力することができる。
【００４０】
メモリー制御部１４０は、音声メッセージ貯蔵のためのメモリー割当及び解除を制御する。パケット処理部１６０は、通信部９００を介して入力されるパケット処理されたデータを、各パケット別にデータ処理してメモリー３００に出力し、前記メモリー３００から着信移動通信端末機１１に出力される音声メッセージをパケット処理する。
【００４１】
図４（ａ），（ｂ）は、本発明の一実施例による移動通信端末機で遂行する音声メッセージ送受信過程を示す。図４（ａ），（ｂ）は、図示されているように、本発明の特徴的な様状によって、発信移動通信端末機から着信移動通信端末機に音声チャンネルを連結しようとしたが、着信移動通信端末機から呼出への応答がなくて、発信者の音声メッセージを着信移動通信端末機に伝送するフローチャートである。
【００４２】
図４（ａ）を参照すると、まず、制御部１００は、操作部５００から着信移動通信端末機の電話番号と通話キー入力による通話連結要請信号が受信されたら（Ｓ４０１）、基地局に音声チャンネル連結要請信号を伝送する（Ｓ４０２）。この時、基地局は空いている音声チャンネルを割り当て、通話要請信号を交換機に伝送する。以後、交換機は、一般的な呼プロセッサー処理過程を介して着信移動通信端末機に呼出信号を伝送した後、着信応答信号を待つ。もし、着信移動通信端末機が通話中であったり、電源がオフされていて応答できない状況であれば、例えば、発信移動通信端末機にビジートーン信号を送ったり、着信移動通信端末機と電話がつながらないという簡単な音声メッセージを伝送する。
【００４３】
以後、制御部１００は、交換機から着信移動通信端末機と通話連結不能信号を受信したら、基地局に音声チャンネル連結終了要請信号を伝送する（Ｓ４０３）。以後、通話制御部１２０は、メモリーに残っている貯蔵容量を確認して、予め設定された臨界貯蔵容量と比較し（Ｓ４０４）、残っている貯蔵容量が十分であると判断されたら、発信者の音声の入力を受け、メモリーに貯蔵する（Ｓ４０５）。以後、制御部１００は、発信者の音声メッセージ録音が完了されたら、操作部５００から伝送／確認／再録音要請信号の中、どれが入力されたかを判断する（Ｓ４０６）。この時、伝送要請信号が入力されたら、制御部１００は、移動通信網にデータチャンネル連結要請信号を伝送する（Ｓ４０７）。以後、制御部１００は、移動通信網からデータチャンネル連結応答信号を受信したら、発信者によって伝送要請された音声メッセージをパケット処理して移動通信網に出力する。一実施例において、移動通信網から伝送された音声メッセージは、交換機２３を介して音声私書箱部２５に到達し、音声メッセージＤＢ２７３に貯蔵されることができる（図１参照）。また別の実施例において、移動通信網に伝送された音声メッセージは、パケット処理部４１とパケット用ゲートウェイ４３を経てコンテンツサーバー５１に到達し、該当データベースに貯蔵されることができる（図２参照）。以後、制御部１００は、伝送完了された音声メッセージをメモリーから削除する（Ｓ４０９）。
【００４４】
一方、制御部１００は、操作部５００からメッセージ確認要請信号が入力されたら、メモリーに貯蔵された音声メッセージをコデック部と音声処理部とを経て可聴信号に変換して発信者に聞かせる（Ｓ４１１）。また、制御部１００は、操作部５００からメッセージ再録音要請信号が入力されたら、メモリーに貯蔵された音声メッセージを削除する（Ｓ４１２）。
【００４５】
図４（ｂ）を参照すると、制御部１００は、段階４０４で残っている貯蔵容量が不十分だと判断されたら、移動通信網にデータチャンネル連結要請信号を伝送し（Ｓ４２１）、データチャンネルを連結する。制御部１００は、入力される発信者の音声メッセージをパケット処理して、連結されたデータチャンネルを介して移動通信網に伝送する（Ｓ４２２）。以下、制御部１００は、音声メッセージが伝送完了されたかを確認し（Ｓ４２３）、伝送が完了されたら、操作部５００から確認要請信号が入力されたかを判断する（Ｓ４２４）。確認要請信号が入力されたら、移動通信網に前記確認要請信号を伝送し、移動通信網から音声メッセージを受信した後、コデック部と音声処理部とを経て可聴信号に変換して発信者に聞かせる（Ｓ４２５）。以後、制御部１００は、操作部５００からメッセージ再録音要請信号が入力されたら、移動通信網に前記再録音要請信号を伝送し（Ｓ４１２）、発信者の音声メッセージをパケット処理して移動通信網に伝送する段階４２２を遂行する。
【図面の簡単な説明】
【００４６】
【図１】本発明の一実施例による音声メッセージ送受信サービスを概略的に図示したものである。
【図２】本発明のまた別の実施例による音声メッセージ送受信サービスシステムを概略的に図示したものである。
【図３】本発明の一実施例による移動通信端末機の内部構成ブロック図である。
【図４】図４（ａ），（ｂ）は、本発明の一実施例による移動通信端末機で遂行される音声メッセージ伝送過程を図示したものである。
【図１】
2005176315.tif 000003
【図２】
2005176315.tif 000004
【図３】
2005176315.tif 000005
【図４】
2005176315.tif 000006